(57)【要約】【課題】  従来の義歯洗浄機は、水道水を利用するもの、超音波を利用するものなどが提案されているが、洗浄の結果、洗浄効果の一層の改良、コンパクト化などの要求がある。【解決手段】  義歯洗浄の効果を高めたものを作成する。義歯を入れる洗浄カゴの回転中心ノズルから水道水を外周に向けて噴射するノズルと外周から洗浄カゴの内部に向けたノズルから洗浄カゴの中に向けて水道水を発射することと、洗浄カゴを回転させながら義歯を洗浄することで、洗浄効果を大幅にあげることができた。【選択図】図１
2009066294.tif 000002
【特許請求の範囲】
【請求項１】
義歯洗浄機において、洗浄液を洗浄すべき義歯に噴霧するノズルと水道水を噴射するノズルを、義歯を入れるカゴの回転中心から外周に向けて配置するのと、直接水道水をカゴの外部からカゴの内部に向けて発射するノズルを、該義歯を入れるカゴを直接回転させ得るように配置することで、満遍なく水道水を義歯にかけて洗浄することを特徴とする義歯洗浄機。
【請求項２】
義歯洗浄液に芳香成分を含む洗浄液と水道洗浄し、消臭・消毒・保管液で洗浄した後の義歯を保管することを特徴とする義歯洗浄機。
【請求項３】
義歯洗浄機において、義歯を入れるカゴの外周をカゴが回転自在になるような隙間を設けてカゴの外周に枠を設け、万一カゴから義歯が飛び出したとしても。該枠の上にのり、下に落ちないようにしてなる義歯洗浄機。
【請求項４】
義歯洗浄機において、洗浄終了後、消臭・消毒・保管液をかけるときに保管用コップの蓋をしたままでは、義歯にかからないので、蓋を開けないで消臭・消毒・保管液をかける場所にコップを設置できないような、防御部材が設置されたことを特徴とする義歯洗浄機。
【発明の詳細な説明】
【技術分野】
【０００１】
本発明は、介護施設において複数の老人の義歯を短時間でかつ感染の心配もなく洗浄し、ヘルパーの負担軽減を目的にして、水道水の力を利用して、義歯洗浄し保管を行う機械に関する。
【背景技術】
【０００２】
義歯の洗浄を介護施設で行う場合に、介護担当者が行う作業は、過酷なものになっている。
つまり義歯洗浄のときに、介護される人の義歯を歯ブラシでかつ歯磨き剤も個人毎に区別して洗浄しなければならないという、介護ヘルパー行う義歯洗浄を、簡単にかつ手を汚さないでできる簡便な機械が望まれている。
【０００３】
下記特許文献１などは、義歯の洗浄を超音波装置で大量に洗浄してしまおうというものを提案されているが、遺憾ながら洗浄する義歯は、樹脂のみでできており、超音波振動を減衰させてしまうので、歯の汚れが落ちない。つまり眼鏡などは、眼鏡に使用されている金属が超音波振動で激しく振動することで、振動がプラスチック部に伝わって、比較的簡単に洗浄できるのとは違い、先に説明したように水の振動と同じように義歯が振動するので義歯に振動が入らないで、なかなか思ったように義歯の汚れが落ちない。つまり義歯についた汚れを落とし得るのは、金属が組み込まれた義歯以外は、難しいことになる。
【０００４】
特許文献２に開示されている水道水の利用で洗浄を行うのに、水道水が義歯にあたってから排水溝に流れるのを利用して水車で回転を行う仕組むですが、水車に義歯の汚れが付着するなど洗浄槽の衛生に問題のある技術である。洗浄槽は、全て清潔に保てるような配慮が必要である。
【０００５】
しかも外側からだけ水道水をあてるような洗浄を行うとあるが、義歯の形状が複雑なので思ったように義歯に水道水があたらない場所が沢山ある。そのために義歯の汚れがおちない。そこで今回の提案は、洗浄する義歯を中央から外に向けて発射するノズルとカゴの外から中に向けて発射するノズルを載置することで複雑な形状の義歯の洗浄をスムーズに行うことにする。
【０００６】
従来は排水を利用してカゴを回転させるので、洗浄用水道水のノズルの回転の効果も遅れてくる。これを最初から回転の効果が出るように水道水の洗浄用ノズルからの発射角度を旨くコントロールすることで最初からカゴに入った義歯を回転させながら洗浄するようにした。
【０００７】
【特許文献１】特開２００３−１３５４９２
【特許文献２】特開２００３−２３０５７５
【発明の開示】
【発明が解決しようとする課題】
【０００８】
現在、介護施設は、全国で５０００を超えるほどあると言われている。夕食が終わると、食堂の脇または隣接する洗い場に入居者が集まる。入居者のうち自分で義歯をブラシで洗浄できる１部の人を除き、大半の人は、ヘルパーによって義歯を洗浄してもらう。このように義歯を洗浄してもらう人は、義歯を外して水を張った個人のコップに義歯を入れヘルパーに渡して歯ブラシで磨いてもらう。今後本発明は、多数の義歯を洗浄作業する介護作業の負担を軽くするのに役立つ機械を作成する。
【０００９】
義歯の洗浄は、まず食べ滓を落とすために簡単な水洗いをし、次に各人の専用歯ブラシに各人専用の歯磨き剤をつけて義歯を磨く。磨き終わると、各人専用のコップに義歯、水及び殺菌、水及び殺菌剤を入れて、翌朝まで保管する。
【００１０】
夕食後の時間帯は、ヘルパーが忙しいため、ヘルパーが義歯のブラシ磨きにかける時間は、総義歯の場合、上顎、下顎それぞれ１分以上あり、また、６人分の義歯を磨くのに１５分以上を要し、さらに水洗等を加えると３０分を超える。しかも各人のブラシ、歯磨剤の区別をしっかりさせて作業するのは、非常に負担が大きい。つまり各人の歯磨剤を共通にするなどの手抜き作業を許さないなど負担が大きい。
【００１１】
しかしこれくらいの時間をかけてブラシ磨きをしても、義歯に歯垢染出し剤を塗り、その後水洗を行うと、歯と歯の間、義歯の裏側を中心に義歯全体に染出し剤が残り、歯垢が残っているのがわかる。短時間のブラシ磨きでは、不十分である。しかも毎日欠かさず義歯の洗浄を行うことが基本的に義歯を清潔に保つ必要条件ある。
【００１２】
もし手抜きの義歯洗浄が続くと、歯垢の大半はバクテリアであるため、身体弱者で要介護の高齢者が歯垢の残った義歯を装着していると、口臭だけでなく義歯性口内炎、嚥下性肺炎、腸管内感染などの全身的疾患になるなどの危険がある。
【課題を解決するための手段】
【００１３】
確実に歯垢を落とし、夜の就寝の時間の間、完全に消臭・殺菌・保存を行うことができる簡便な機械を提供する。
この機械は、歯洗浄を行うのに芳香剤が入った洗浄液を最初に洗浄する義歯にかけて義歯の汚れを浮かすように作用させた後で、水道水の電磁バルブを開いて、水道から噴射する水道水の力で義歯を入れたアミかごを回転させながら、義歯の汚れと先に義歯にかけた洗浄液を同時に流して洗浄する。
【００１４】
洗浄終了後、義歯の所有者の名前が書いてある保管用のコップの中に入れて、隣に設置された消臭、消毒、保管液が出るノズルから洗浄が済んだ義歯に該消臭、消毒、保管液をかけて、蓋をして保管状態にして保管し、義歯の手入れを簡便に行える機械を作る。
【発明の効果】
【００１５】
この機械を使用して、老人の介護を行えば人数が、沢山でも簡易に看護作業ができるので介護の負担が少なくなる。
【００１６】
介護される人もいつも清潔な義歯で食べられる。かつ消臭、消毒、保管液で保管するので感染などが起きないので快適に要介護者の介護ができる効果がある。
【発明を実施するための最良の形態】
【００１７】
図１は、義歯洗浄機正面図を表している。１は、スイッチボックスに１Ａ，スイッチ１Ｂがあり、それぞれ洗浄液と水道水、消臭、消毒、保存液の供給を行うための電気部品の制御を行うスイッチである。２は、洗浄槽で１Ａを押すと洗浄液をポンプ１６で義歯にかけた後、タイマーが働き電磁弁を開くことで水道水を送り、洗浄する。１Ｂのスイッチを押すと、消臭、消毒、保存液を送るポンプ１７を作動させて義歯の消臭、消毒、保存を行う。図２は、義歯洗浄機平面図、３は、義歯用コップに消臭、消毒、保存液をかけて保存するノズルが設置されている。図３は、義歯洗浄機の側面図である。
【００１８】
図４義歯洗浄機正面斜視図であり、４は、義歯洗浄液のタンク部、５は、消臭・消毒・保管液のタンク、２が洗浄槽、ここで洗浄を行う、３は、前項でも説明した義歯用カップ７に消臭、消毒、保存液を散布する場所である。
１９の蓋は、洗浄槽の蓋で、洗浄槽２で洗浄するときに水が飛び散らないようにする働きをしている。
【００１９】
義歯洗浄後に消臭・消毒・保管液をかける部分は、コップ蓋７ａをしたままで入れるとセットできないように阻止部材２４を設置し、コップ蓋７ａを開けて入れたときにだけセットされるようにした。
【００２０】
図５は義歯洗浄機背面斜視図で１５が水道水の管で水道水を洗浄する。１６が排水管であり、洗浄で使用した廃液を排水する。６が取手で義歯洗浄機の持ち運びに使用する。
【００２１】
図５は義歯洗浄機背面斜視図、ポンプと電磁バルブ１５の配置を示している。ポンプ１６は、洗浄液を送る。電磁バルブは、水道水を制御している。ポンプ１７は、消臭、消毒、保存液を送る。これらの電気部品をコントロールする回路は、１８の回路ボックス内に設置したコントロール回路とする。
【００２２】
図６が義歯洗浄槽の正面図である。２０が、義歯洗浄槽の外形筒で洗浄槽の外壁を形成している。この２０の外壁の中で洗浄が行われる。
【００２３】
図７は、洗浄槽の平面図で８Ａのセンターノズルが真ん中にある。この８Ａが回転盤２２のセンターシャフトの働きをしている。図８の側面図の１部断面に図示した２２の回転盤は、１３のボールベアリングを回転盤２２に取り付けられている。８Ａのセンターシャフトを中心に１３のボールベアリングを介して回転自在になっている。
回転盤には、１０Ａ，１０Ｂの回転伝達シャフトがセットされている。
【００２４】
図９は、洗浄槽斜視図で９の義歯用カゴが回転盤２２の上に載せられる。１２のノズル１２Ａからポンプ１７から射出した洗浄液をかける。詳しくは、後で記述します。
【００２５】
図１０は、義歯用コップ７の正面図で取手７ｃがあり、７Ａの蓋がついていて７ｂを支点にして回転して開閉し、中に出し入れ自在の義歯用カゴ９に義歯を入れて、消臭・消毒。保管液をかけて、義歯を保管する。図１１は義歯用コップ７の平面図で義歯の所有者の名前を書き込むところがある。
図１２は、義歯用コップ７の側面図で取手７ｃの部分に名前を書きこむところがある。
図１３は、義歯用コップ７の内部には、義歯用カゴ９が出し入れ自在に配置されている。
【００２６】
図１４は、スプレーノズルの斜視図、８Ａがセンターノズル８Ｂがサイドノズル２つ載置する。８の水道水の導管に３本のノズルを図のように載置する。次にタイマー等で制御された水道水が通る８のスプレーノズル集合体から水道水を、ジェット流として噴射する。
【００２７】
洗浄液を噴射するときに噴射液をかけるのにポンプ１５又は電磁バルブなどの駆動をパルス駆動すると万遍なく義歯にかけることができ、洗浄効果が上がる。
【００２８】
８Ｂのノズルは、水道水を義歯用カゴ９に斜めにあたるようにノズル設置するので８Ｂのノズルから噴射する水道水のジェットの圧力で義歯用カゴを回転開始する。
また８Ａのノズルが中央から外周に向けて水道水を噴射するので、義歯用カゴが回転しているので、８Ｂのノズルから発射する水道水も義歯の汚れ落としを、中に向けて行う。
つまり８Ａで外周に向けて、８Ｂで外周から中に向けて汚れを吹き飛ばすので、義歯の汚れをおとすことができる。このように水道水を利用すると水道水には、雑菌などがないので衛生的かつ経済的なのと水圧があるので義歯用カゴを回転させながら汚れを落とせるので洗浄能力がある。
【００２９】
図１５は、センターノズル部の回転部斜視図である。義歯用カゴ９（このには、図示していないが、図８に描いてある）を回転する回転台２２にのせる。回転台２２は、８Ａのセンターノズルを中心に１３のボールベアリングを設置する。該義歯用カゴ９は、先に１０のガイドピンが網目の隙間に入り回転台２２と一体的に回転する。
【００３０】
図１６は、９の義歯用カゴの正面図であり、９Ａのカゴは、円形のカゴの形をしていて洗浄する義歯を入れるカゴに入れて洗浄する。９Ｂは、カゴの中心を仕切るつい立である。
図１７は、カゴの平面図、図１８がカゴの側面図である。図１９は、義歯用カゴの斜視図である。このような形をした義歯用カゴ９は、義歯用コップに出し入れ自在になっている。９ｃ部が取手でここを持って義歯用コップに出し入れする。
【００３１】
ここで義歯洗浄について説明する。９が義歯用カゴで該義歯用カゴのメッシュの中に義歯を外して入れる。２０が洗浄槽外枠、１２が洗浄液噴射ノズル、１０が回転台２２から出たピンで義歯用カゴの回転伝達を行っている。そして回転台２２は、樹脂製のボールベアリング１３を使用して軸回転をスムーズ行うことにする。
【００３２】
スイッチ１Ａを押すとポンプ１５を動作させて洗浄液タンク４から洗浄液をポンプで送り出し、１２の洗浄液噴射ノズル１２Ａから該洗浄液を噴射して９の義歯用カゴの義歯に洗浄液を４の洗浄液室からの洗浄液を噴射する。
【００３３】
次に義歯用カゴの回転は、義歯が入ると回転バランスが狂うので回転でカゴが大きく揺れると義歯が飛び出してしまう。これを避ける目的でカゴの周囲を囲む枠２３でカゴのブレを抑えるのと、万一飛び出しても枠の上に義歯が残るので、安全である。この枠を付けて義歯の飛び出しと万一飛び出しても、枠の上にあるようにしたことは、義歯洗浄機として無くてはならない安全装置である。
【００３４】
洗浄が終わった義歯は、９の義歯用カゴに入ったままの状態で引き上げて義歯用カップ７に装着する。これを義歯洗浄機の斜視図（図６）に示すように入れる。次に１ＢのスイッチをＯＮにすると５の消臭、消毒、保存液をノズル１４から噴射し、噴射した液は、義歯にかかり、消臭、消毒、を行い、適度な湿度を与えることで義歯を保存する。
保存は、７ａの蓋をかぶせて、保存液が揮発してしまい義歯が乾燥してしまうのを防ぐ。
【００３５】
図１１の平面図の蓋７ａの部分に義歯の所有者の名前を記入する場所があり、他の人と混同してしまうことが、なくなる。また図１２の取手のところにも名前記入できるようにして、他人との混同がなくなる。図１３は、コップの斜視図で内部に義歯用カゴ９がある。
【００３６】
図５は義歯洗浄機背面斜視図、ポンプと電磁バルブ１５の配置を示している。ポンプ１６は、洗浄液を送る。電磁バルブは、水道水を制御している。ポンプ１７は、消臭、消毒、保存液を送る。これらの電気部品をコントロールする回路は、１８の回路ボックス内に設置したコントロール回路とする。
【００３７】
この機械を使用することでいままで個人の義歯をブラシ洗浄するときに個人のブラシと個人の歯磨き粉を区別して、混入しないように注意しながら全ての作業をやらなければならなかった。がこの機械を使用すれば、コップと義歯が個人のものとあっていれば、全ての作業で個人の所有物との合致の確認を強いられていた従来の手作業による洗浄と比較すると負担が、大幅に軽減する。
【産業上の利用可能性】
【００３８】
介護の仕事を行う施設で、大勢の人の義歯を洗浄する作業は、大変な仕事で、簡便にしかも清潔に義歯を保存できるコンパクトな機械を提供できるので、介護作業負担の軽減が可能になり、介護ヘルパーの仕事も大幅に軽減されるのと老人の生活の質も向上することができる。
【図面の簡単な説明】
【００３９】
【図１】義歯洗浄機正面図
【図２】義歯洗浄機平面図
【図３】義歯洗浄機側面図
【図４】義歯洗浄機正面斜視図
【図５】義歯洗浄機背面斜視図
【図６】洗浄槽正面図
【図７】洗浄槽平面図
【図８】洗浄槽側面図
【図９】洗浄槽斜視図
【図１０】義歯用カップ正面図
【図１１】義歯用カップ平面図
【図１２】義歯用カップ側面図
【図１３】義歯用カップ斜視図
【図１４】センターノズル
【図１５】センターノズル部の回転部斜視図
【図１６】義歯用カゴ正面図
【図１７】義歯用カゴ平面図
【図１８】義歯用カゴ側面図
【図１９】義歯用カゴ斜視図
【符号の説明】
【００４０】
１：スイッチボックス
２：洗浄槽
３：消臭・消毒・保管液
４：洗浄液室
５：消臭・消毒・保存液室
６：取手
７：義歯用カップ
８：水道水導管
９：義歯用カゴ
１０：ガイドピン
１１：洗浄槽外壁
１２：洗浄液噴射ノズル
１３：樹脂製のボールベアリング
１４：ノズル
１５：電磁バルブ
１６：ポンプ
１７：ポンプ
１８：回路ボックス
２２：回転台
２３：カゴの周囲を囲む輪
【図１】
2009066294.tif 000003
【図２】
2009066294.tif 000004
【図３】
2009066294.tif 000005
【図４】
2009066294.tif 000006
【図５】
2009066294.tif 000007
【図６】
2009066294.tif 000008
【図７】
2009066294.tif 000009
【図８】
2009066294.tif 000010
【図９】
2009066294.tif 000011
【図１０】
2009066294.tif 000012
【図１１】
2009066294.tif 000013
【図１２】
2009066294.tif 000014
【図１３】
2009066294.tif 000015
【図１４】
2009066294.tif 000016
【図１５】
2009066294.tif 000017
【図１６】
2009066294.tif 000018
【図１７】
2009066294.tif 000019
【図１８】
2009066294.tif 000020
【図１９】
2009066294.tif 000021